Podtech/llm-jp-corpus-v4-ja_patent huggingface dataset:
(57)【要約】      （修正有）【課題】身に付けた人を際立たせ心楽しく幸福な気持にさせる又見る他人をも楽しませるパンツの提供。【解決手段】又の交点をＡ、左裾をＢ、右裾をＣとしてＡとＢの間ＡとＣの間をファスナー等で取付取外しが出来る様にすれば一本のパンツで複数の三角の布を付変える事により一本のハンツでより多くの変化を楽しむ事ができる更に三角の布を外せば従来のパンツとして楽しむ事が出来る三角布は一枚布でも、２枚張合せたものでも良い。【選択図】図３
2006233403.tif 000002
【特許請求の範囲】
【請求項１】
パンツの又下交点から左右の裾に絵や模様の入った三角の布を張り取付けたパンツ等、（等）としたのはパンタロン、パンツ、タイツ等形状の異る物があるため全て含む
【請求項２】
三角の布を張り取付たパンツ等に、ファスナー等で、付、外しの出来る絵、模様の入った三角の布等（ファスナー）等としたのはボタンマジクテープなど他に同じ働をする物が有る為全て含む（布）等としたのは糸を蛍光染料で染網状に絵や模様を編み込ば布と同じ働きをする全て含む
【発明の詳細な説明】
【発明の効果】
発明品を身に付ける事により、身に付けた人を際立たせ心楽しく幸福な気持にさせる又見る他人をも楽しませる（産業上の利用の可能性）世界の特許を取れば日本の国益になる工賃の安い国に注文しなくてすむ
【図面の簡単な説明】
【図１】装飾パンツの足を閉じた正面図
【図２】足を開いた正面図
【図３】図２を下から見た図
【図４】わ右足を一歩前に出した左りから見た側面図
【図５】立っている時の側面図
【図６】左足を一歩前に出した左りから見た側面図以下発明の装飾パンツの説明をします絵や模様の入った三角の布をパンツの又の交点から左右の裾に張り取り付るパンツ等の又下に三角の布を付ける事により従来のパンツ、タイツと異りまったく新しい衣服と言えると思います又の交点をＡ、左裾をＢ、右裾をＣとしてＡとＢの間ＡとＣの間をファスナー等で取付取外しが出来る様にすれば一本のパンツで複数の三角の布を付変える事により一本のハンツでより多くの変化を楽しむ事ができる更に三角の布を外せば従来のパンツとして楽しむ事が出来る三角布は一枚布でも、２枚張合せたものでも良い（図の詳細な説明）図１では絵を絵として見る事は出来ません図２では前部前の絵を見る事ができますこの説明では後ろの絵は前の絵と同じ位置に同じ絵が描いて有る事とします図３では発明の形態を表しています図４右足を一歩前に出した左から見た側面図右足寄りに犬が前足を上げた図前の絵が出る図５立っている時の側面図パンツタイツとでは異ります図６左足を一歩前に出した左から見た側面図に左足寄りに犬が前足を下ろした図後ろの絵が見える歩るく姿を側面から見れば、前後と交互に絵が表れて犬も歩いている様に見える歩く事により絵に動きがで足の動きにより絵が表れたり消えたりと多様に変化し見る人を引付身に付た人を一層際立たせると思います。
【図１】
2006233403.tif 000003
【図２】
2006233403.tif 000004
【図３】
2006233403.tif 000005
【図４】
2006233403.tif 000006
【図５】
2006233403.tif 000007
【図６】
2006233403.tif 000008
(57)【要約】      （修正有）【課題】簡単でメンテナンスの容易な免震基礎の提供。【解決手段】深さ６００ｍｍの水槽２に水４を張り、建物を載せた船３を浮かべて、地盤の振動を建物に直接伝えないようにした水槽を利用した免震基礎。【選択図】図２
2006233735.tif 000002
【特許請求の範囲】
【請求項１】
建築構造物の基礎部分を船に替え、建物の下に水槽を作り、その水の浮力で建物を浮かせ、地震時に地面の揺れを直接建物に伝えない免震基礎です。建物下の水槽は６００ｍｍ程度に浅く、内部の船は床組みによって水圧に耐えるように補強します。新しい特殊な器具、機械を使用しないので、後のメンテナンスが簡単です。木造住宅などの規模の小さい、軽い建物に適した免震基礎で、この基礎の上に通常に建物を建築し、完成後基礎部分に水をいれると、建物が水に浮かび地震の際基礎から建物に伝わる力を軽減して人の命と建物を守る構造です。
【請求項２】
基礎部分が水槽になっていて（４０坪の木造２階建住宅なら約１３ｍ３）飲料には適しませんが、蛇口取り付けにより、洗車、植物への水やり等に利用できます。またポンプ設備により防火水槽に利用できます。
【発明の詳細な説明】
【技術分野】
【０００１】建物を水に浮かべて、地震の際の災害を軽減し、基礎水槽を利用して、資源を大切にする。
【背景技術】
【０００２】今までは特殊なゴムによる免震が主流で、主に大きな建物が基準で、住宅に力をいれていなかった。
【特許文献１】特開２００４−０２７７３２
【特許文献２】
【非特許文献１】はじめての免震建築という本
【非特許文献２】
【発明の開示】
【発明が解決しようとする課題】
【０００３】基礎、建物の工法に従来とほとんど変わりなく施工できて、構造が簡単で、住宅に適している基礎で、メンテナンスが容易な免震構造の基礎
【課題を解決するための手段】
【０００４】まず基礎工事というより深さ６００ｍｍの水槽を作り、内側に船のような軽くて、丈夫で水に浮く構造の箱を置き、その中に希望の住宅を建設する。船の床には建物の平面図に合わせたアンカーが着いていて、直接そこに土台を取り付け組み立てていく。前もって建物の自重と積載荷重を想定しておき、基礎の深さを決定するが、木造の２階建てで必要な水深は５００ｍｍ程度で、６００ｍｍあれば船下に１００ｍｍクリアランスが生じます。建物完成後水を入れ所定の高さまで浮いたら建物と水槽のエキスパンション、クッション材を取り付け、完成となります。出来た住宅は常に水に浮いていますが、海と違い波がないのでいつも静止しています。水槽にある１ｍ３程度の水は蛇口の取り付けで圧力差により使用できます。また水槽には１０ｍ３以上の水がありますから、ポンプアップにより防火設備にもなります。水槽の水は雨水が入るようになっているので、飲料には使えません。地震が起きると、基礎と建物の縁が切れているので、建物自体の揺れが軽減され少ない被害ですむ。
【発明の効果】
【０００５】地震時の被害を軽減できる。また、洗車、植物への水は雨水がいつでも使えるので、水道料金節約に役立ち、火災の場合防火用水としても利用できる。
【発明を実施するための最良の形態】
【０００６】建物の規模はなるべく軽く平屋の四角な家が最適です。建物の形状、電化製品の置き場所により重りが必要となります。
【実施例】
【０００７】一般住宅に最適
【産業上の利用可能性】
【０００８】一般住宅の基礎にこの船基礎を使えば、地震による災害が減り、火災も減り、水道料金も減ります。
【図面の簡単な説明】
【０００９】
【図１】全体図
【００１０】
【図２】詳細図
【符号の説明】
２図の説明
１  エキスパンション
２  水槽基礎
３  船
４  水
５  床組み兼船補強
６  蛇口
７  クッション材
８  スペーサー
９  アンカーボルト
【図１】
2006233735.tif 000003
【図２】
2006233735.tif 000004
(57)【要約】【課題】  ドアの内側から鍵を閉める際に、親指でつまんで回すサムターンを、外部から操作されないように、防犯対策としてサムターンにカバー、及びサムターンそのものを回すことができないようロックする機能を有する、サムターンガードを提供する。【解決手段】  サムターン通し穴と、このサムターン通し穴に通されたサムターンを覆うことができる開閉式のカバーを有するベースと、該カバーを閉じた時にサムターンをロック、又は解除の切換ができる可動式のレバーと、前記ベースにカバーを閉じたときに固定する固定手段と、前記ベースをドアに固定するための固定手段からなることを特徴とするサムターンガード。【選択図】  図１
2006233732.tif 000002
【特許請求の範囲】
【請求項１】
サムターン通し穴と、このサムターン通し穴に通されたサムターンを覆うことができる開閉式のカバーを有するベースと、該カバーを閉じた時にサムターンをロック、又は解除の切換ができる可動式のレバーと、前記ベースにカバーを閉じたときに固定する固定手段と、前記ベースをドアに固定するための固定手段からなることを特徴とするサムターンガード。
【発明の詳細な説明】
【技術分野】
【０００１】  本発明は、ドアの内側から鍵を閉める際に、親指でつまんで回すサムターンを、外部から操作されないように、防犯対策としてサムターンにカバー、及びサムターンそのものを回すことができないようロックする機能を有する、サムターンガードに関するものである。
【背景技術】
【０００２】  従来、サムターン回しの防犯には、プラスチックのカバーをサムターンのまわりに固定してガードするものがあるが、在宅者がサムターンを操作するための開口部があった。
また、在宅時用にサムターンをロックするだけのものはあった。
【発明の開示】
【発明が解決しようとする課題】
【０００３】  そのために、次のような問題点があった。
（イ）  サムターンのカバーがプラスチックの場合、ドアにドリルで開けた穴等からこ          のカバーを焼く手口もあり、また、カバーに開口部があるものは外部から操作          されやすいという危険性があった。
（ロ）  サムターンカバーの取り付けが固定式の場合、室内の人がサムターンを操作す          るときに、カバーが邪魔になっていた。
（ハ）  在宅時用のサムターンロックの場合、外出時にはドアの外から鍵をかけるため          サムターンのロックを解除しておく必要があり、この場合サムターンのガード          がなくなり、サムターン回しされる危険性があった。
本発明は、以上の問題点を解決するためになされたものである。
【課題を解決するための手段】
【０００４】  サムターン通し穴と、このサムターン通し穴に通されたサムターンを覆うことができる開閉式のカバーを有するベースと、該カバーを閉じた時にサムターンをロック、又は解除の切換ができる可動式のレバーと、前記ベースにカバーを閉じたときに固定する固定手段と、前記ベースをドアに固定するための固定手段からなる。以上を特徴とするサムターンガードである。
【発明の効果】
【０００５】  （イ）カバーは、サムターン全体を覆い固定するので、外部から操作されにくくなる。
（ロ）カバーを開閉式にしたため、在宅者がドアの内側からサムターンを操作して鍵を        開け閉めするときに、カバーを開くことができるので、カバーが手指に触れて邪        魔になることがない。
（ハ）サムターンをロックするレバーは可動式で、ロック又は解除の切換ができ、いず        れに設定した場合もカバーを閉じることができ、サムターンをガードできる。
（ニ）ロックレバーを楕円形状にすることにより、サムターン形状が楕円形状から平ら        なものまで、幅広く対応できる。
【発明を実施するための最良の形態】
【０００６】  以下、本発明の実施の形態について説明する。
（イ）ベース（１）とカバー（２）をヒンジ（３）で回転可能に接続する。
（ロ）カバー（２）に固定用の爪（４）を設ける。
（ハ）カバー（２）にアーム（５）とＵ字型のロックレバー（６ａ）をヒンジ（７）で        接続する。
（ニ）カバー（２）は、ベース（１）とヒンジ（３）を介して開閉し、Ｕ字型のロック        レバー（６ａ）は、アーム（５）とヒンジ（７）を介してカバー（２）の内側又        は外側に移動できる。
（ホ）ベース（１）にサムターンの通し穴（８）と取り付け穴（９）を設ける。
（ヘ）ベース（１）に爪ガイド（１０）を設け、固定キー（１１）がスライド可能に内        蔵されたキーガイド（１２）を上部に装着する。
（ト）カバー（２）を閉じるとき、カバー（２）の爪（４）を爪ガイド（１０）に納め        、固定キー（１１）をスライドさせ、カバー（２）の爪（４）を固定する。
本発明は、以上のような構成で、これを使用するときは、サムターン通し穴（８）をサムターン（１３）の位置に合わせ、ベース（１）をドアに、ねじ又は両面粘着テープで取り付ける。
外出時は、サムターン（１３）で鍵を開けた状態にし、Ｕ字型のロックレバー（６ａ）をカバー（２）の外側に出してカバー（２）を閉じ、カバー（２）の爪（４）を固定キー（１１）で止め、ドアの外から鍵をかける。
在宅時にサムターン（１３）をロックするときは、サムターン（１３）で鍵をかけた状態にし、Ｕ字型のロックレバー（６ａ）をカバー（２）の内側に入れてカバー（２）を閉じ、カバー（２）の爪（４）を固定キー（１１）で止める。
また図５に示すように、サムターン（１３）の形状に合わせ、Ｕ字型のロックレバー（６ａ）の形状を、楕円型のロックレバー（６ｂ）に変えてもよい。
さらに図６に示すように、サムターン取り付け部の本体ケース（１４）がビス（１５）止めになっている場合は、ベース（１）の形状をベースＡ（１６）及びベースＢ（１７）に分離したものに変え、このビス（１５）を利用して取り付けてもよい。
この場合、本体ケース（１４）から、ベースＡ（１６）取り付け側のビス（１５）を２本はずし、ベースＡ（１６）の取り付け穴に通し、本体ケース（１４）に取り付ける。同様にしてベースＢ（１７）を取り付ける。
【図面の簡単な説明】
【０００７】
【図１】本発明の斜視図
【図２】本発明の使用状態を示す斜視図
【図３】本発明のロックレバーをカバーの内側に入れてカバーを閉じた斜視図
【図４】本発明のロックレバーをカバーの外側に出してカバーを閉じた斜視図
【図５】本発明の他の実施例を示す斜視図
【図６】本発明の他の取り付け方法を示す斜視図
【符号の説明】
【０００８】        １  ベース
２  カバー
３  ヒンジ
４  爪
５  アーム
６ａ，６ｂ  ロックレバー
７  ヒンジ
８  サムターン通し穴
９  取り付け穴
１０  爪ガイド
１１  固定キー
１２  キーガイド
１３  サムターン
１４  本体ケース
１５  ビス
１６  ベースＡ
１７  ベースＢ
【図１】
2006233732.tif 000003
【図２】
2006233732.tif 000004
【図３】
2006233732.tif 000005
【図４】
2006233732.tif 000006
【図５】
2006233732.tif 000007
【図６】
2006233732.tif 000008
(57)【要約】      （修正有）【課題】（１）前記、従来の場合、鉄筋トラスと基板の固着は鉄筋トラスの下端と基板とをスポット溶接して構成していた。従って基板下面に溶接跡が出来る為、表わし、として使うには意匠上、錆び等で問題があった。（２）基板材の厚みを減少させ尚且つ強度を保ち省資源化する。【解決手段】この発明は鉄筋トラス下端と基板の一部を立てた上端を溶接固定する事で解決した。【選択図】図５
2006233738.tif 000002
【特許請求の範囲】
【請求項１】
所定基板上に  鉄筋トラスを溶接固定している  従来の鉄筋トラス付デッキプレートにおいて  基板の一部の形状を立て  その上から  鉄筋トラスを溶接固定したことを  特徴とする鉄筋トラス付デッキプレート。
【発明の詳細な説明】
【技術分野】
【０００１】この発明は  鉄筋トラス付デッキプレート及び  その製造方法に関することである。
【背景技術】
【０００２】従来、所定基板上に鉄筋トラスを固定し床配筋を兼ねた鉄筋トラス付デッキプレートを構成していた。
【発明の開示】
【発明が解決しようとする課題】
【０００３】（１）前記、従来の鉄筋トラスと基板との固着は、トラスの下端と基板とをスポット溶接していた。従って，基板の下面に溶接による跡が現れるので、基板を其のままでは表わし、として使用するには意匠上、錆び等の事で問題であった。
（２）基板材の厚みを減少させ尚且つ強度を保ち省資源化する。
【課題を解決するための手段】
【０００４】この発明は鉄筋トラス下端と基板の一部を立てた上端とを溶接固定した物で、前記問題を解決した。
【発明の効果】
【０００５】  基板の下面を表わしで，使用出来るので美観の向上，錆びの発生の低減、工期の短縮，費用の節減、を図れる。又基板の一部を立てるので、厚みを減少させ尚且つ強度を補強できる。
【発明を実施するための最良の形態】
【０００６】従来の鉄筋トラス下端の下部を外へ水平に向け基板の一部を立てた所に上から溶接する。
【実施例】
【０００７】  基板の一部を立て其の部分の中央を１８０度に折り曲げその上端に溶接する。
【産業上の利用可能性】あらゆる建築物，構造物に利用できる。
【図面の簡単な説明】
【０００８】
【図１】  正面図である。
【図２】  側面図である。
【図３】  平面図である。
【図４】  底面図である。
【図５】  拡大図である。
【符号の説明】
【０００９】  １    基板
２    トラス材
【図１】
2006233738.tif 000003
【図２】
2006233738.tif 000004
【図３】
2006233738.tif 000005
【図４】
2006233738.tif 000006
【図５】
2006233738.tif 000007
(57)【要約】【課題】男性用の便器に小用の的となる立体形状物を取り付けることにより、便器周辺での尿の飛散によるすべりや悪臭の減少を図り、安全性の確保及び清潔感が保たれ清掃経費の削減にも貢献できる。  小用便器の内側に垂下させた立体形状の標的に、尿（約３５度）をかけつづけることによって変色することと、その装着位置が自在に変えられることを特徴とした男性用便器につける標的を提供する。【解決手段】吸盤（１）に紐（２）を設け、紐（２）に立体形状の感温変色する標的（３）を設けた男性用の便器につける標的。【選択図】  図１
2006233734.tif 000002
【特許請求の範囲】
【請求項１】
吸盤（１）に紐（２）を設け、紐（２）に立体形状の感温変色する標的（３）を設けた男性用の便器につける標的。
【発明の詳細な説明】
【技術分野】
【０００１】  本発明は、小用便器の内側に吸盤から紐状態で垂下させた変色する立体形状の標的で、男性用の便器の内側に吸盤を付着させて紐状態で垂下させた立体形状の尿の飛散防止のための標的であって、吸盤の付着位置が自在に変えられ、標的に尿が命中することで感温により変色することと、立体形状の標的が動くことなどによるユーモア性を特徴とした男性用の便器につける標的に関するものである。
【背景技術】
【０００２】  従来、便器に直接絵を焼き付けたものや貼るシール、吸盤に羽のついたリングを取り付けた小用的、また有色から無色に変色するシールがあった。
【発明の開示】
【発明が解決しようとする課題】
【０００３】（イ）従来のシール等発明については公共の便所等でも全く見られず、話題性と実用性に乏しく、便器の前方に「一歩前へ」と書かれた張り紙の方がよく見受けられる。
そのために、次のような問題点があった。
（イ）絵やシールについては平面的且つ固定されているため、用を足す側にとって興味が薄れ背丈の高低によっても位置取りが難しい。
（ロ）吸盤に羽のついたリングは、構造が複雑でありコスト的にも高くつき便器自体の清掃時に注意と配慮が必要となる。
本発明は、これらの問題点を解決するためになされたものである。
【課題を解決するための手段】
【０００４】  吸盤（１）に紐（２）を設け、紐（２）に立体形状の感温変色する標的（３）を設けた男性用の便器につける標的。
【発明の効果】
【０００５】（イ）標的を吸盤から紐状態で垂下させた着色立体形状にすることによって、用を足す前から興味を促せる。
（ロ）標的の位置を、複数又は便器によっても変えることが出来るため、子どもから高齢者まで、各人にあった便器を選択できる。
（ハ）構造がシンプルで、消耗品として安価なコストで生産できる。
（二）便器の中に目立った目標物を示すことにより、便器の手前に飛散した尿があって一歩前へ出るのをためらった場合でも、腰を前へ突き出して的を目がけることが楽しくなるようにした。
（ホ）前述により、便器周辺での尿の飛散によるすべりや悪臭が減少し、滑ったりする危険性も少なくなり、清潔感が保たれ清掃費の削減もはかれる。
【発明を実施するための最良の形態】
【０００６】  以下、本発明の実施の形態を説明する。
（イ）感温により変色する立体形状の標的を紐で吸盤から垂下させたものを設ける。
（ロ）便器の内側に標的を垂下させた吸盤を取り付ける。
本発明は、以上の構成よりなっている。
これを使用するときは最初に目に入るのが着色された立体形状の感温変色する標的（３）で、これを見つけるや否や命中させるべき、用を足すこととなる。
小便を標的に当て続けることによって標的は変色するため、使用者の驚きと好奇心を煽るばかりか楽しく用を足すことが出来る。
【図面の簡単な説明】
【０００７】
【図１】本発明の正面図
【図２】本発明の設置例を示す正面図
【符号の説明】
【０００８】  １  吸盤
２  紐
３  立体形状の感温変色する標的
４  便器（内側）
【図１】
2006233734.tif 000003
【図２】
2006233734.tif 000004
(57)【要約】【課題】サイホン現象を利用した給排水システムは、サイホン状態を形成するために手間がかかったり、特殊な容器を必要とした。【解決手段】給排水管の給水口に毛細管を取り付ける。【選択図】図１
2006233731.tif 000002
【特許請求の範囲】
【請求項１】
渇水時に、サイホン現象の状態を維持することを特徴とする、給排水システム。
【請求項２】
前記渇水時のサイホン現象の状態の維持は、毛細管現象を利用することでサイホン現象を破棄状態ではなく停止状態とし、給水後には一定の水量を必要とせずに自動的に動作状態となることを特徴とする請求項１記載の給排水システム。
【発明の詳細な説明】
【技術分野】
【０００１】この発明は、水等の給排水に用いる容器の給排水管の形状およびそれを利用した給排水システムに関する。
【背景技術】
【０００２】従来のサイホン現象を利用した給排水システムは、図４に示すように、容器Ｅの外部に給排水管ＩＩＩが設けられた物である。
【発明の開示】
【発明が解決しようとする課題】
【０００３】しかしながら、以上の技術によれば、容器Ｅから容器Ｆへ給排水する為には、高さｂ３以上の水位を維持し続けるか、容器Ｅへの給水時に高さａ３まで水位を上げる必要があった。
また、給排水管ＩＩＩが外部に設置されているような特殊な形の容器Ｅを必要とした。
そこで、この発明は、一定の水量や特殊な容器を必要としない給排水システムを提供することを課題とする。
【課題を解決するための手段】
【０００４】以上の課題を解決するために、第一発明は、サイホン状態を維持する給排水システムである。
また、第二発明は、給水側に毛細管の束を取り付けた給排水管を使用した給排水システムである。
【発明の効果】
【０００５】第一発明、または第二発明によれば、給排水管の給水側に毛細管の束を取り付けたので渇水時にも給排水管のサイホン状態が維持でき、再度給水を行う場合の手間がかからない。
【発明を実施するための最良の形態】
【０００６】この発明の一実施形態を、図１に示す。
上面のみが開いている直方体の容器Ａ・Ｂ・Ｃ・Ｄがあり、容器Ｄは容器Ｂの内部に設置されている。
また、給排水管Ｉ・ＩＩのそれぞれの給水側の先端に毛細管の束「壱」・「弐」が付いており、給排水管のそれぞれの最上部には、バルブ１・２が付いている。
容器Ａ→容器Ｂ→容器Ｃの順に給排水する仕組みになっている。
容器Ｂを主容器とし、容器Ａを給水容器、容器Ｃを排水容器と位置付ける。【０００７】「実施形態の効果」
この実施形態によれば、はじめに、容器Ａに水を満たし給排水管Ｉをサイホン状態とし容器Ｂに水が流れるようにする。このときバルブ１の左ノズルは開いており、上ノズルは閉じている。
※バルブ１・２の詳細図を、図２に示す。
この状態で、容器Ａ内の水がなくなった場合、容器Ｂへの流れは止まるが給排水管Ｉのサイホン状態は維持される。その後、容器Ａへの給水を行うだけで容器Ａから容器Ｂへの給排水が再開される。
※給排水管Ｉのサイホン状態を再形成する必要がなく、給排水の再開が容易。
また、特殊な形状の容器を必要としない為、従来の容器に後付けできる。
また、給排水管ＩＩを給排水管Ｉと同様の設定にした状態で、容器Ｂの水位がｂ２を超えると容器Ｄに水が流れ容器Ｃへと排水される。水位がｂ２を下回り、容器Ｄの水がなくなると容器Ｃへの排水は止まるが、水位がｂ２を上回ると自動的に排水が再開される。
※高さｂ２の位置に毛細管の束「弐」があれば容器Ｄは必要ないが、サイホン状態を維持可能な高さの差（「弐」の高さ（ｃ２）一排水口または容器Ｃの水位（ｄ２））が毛細管の径の大きさに反比例するので、なるべく差を少なくしつつ、容器Ｂに必要な水位を維持する為に容器Ｄを設置した。
また、バルブ１・２の上ノズルを開くと給排水管Ｉ・ＩＩのサイホン状態は破棄され、給排水は停止する。【０００８】「他の実施形態」
図１の実施形態では、毛細管の束は球状であったが、他の実施形態では、形状にこだわらず毛糸の束でも良い。
【図面の簡単な説明】
【０００９】
【図１】この発明の一実施形態を示す図である。
【図２】バルブ１および２を示す図である。
【図３】毛細管の束「壱」および「弐」を示す図である。
【図４】従来技術を示す図である。
【符号の説明】
【００１０】１      バルブ
２      バルブ
Ｉ      給排水管
ＩＩ    給排水管
ＩＩＩ  従来給排水管
壱      毛細管の束
弐      毛細管の束
Ａ      容器（給水容器）
Ｂ      容器（主容器）
Ｃ      容器（排水容器）
Ｄ      容器（Ｂ内容器）
Ｅ      容器（従来給水容器）
Ｆ      容器（従来排水容器）
ａ１    給排水管Ｉの最上部の位置
ｂ１    給排水管Ｉの給水口の位置
ｃ１    給排水管Ｉの排水口の位置または容器Ｂの水位
ａ２    給排水管ＩＩの最上部の位置
ｂ２    容器Ｄの最上部の位置
ｃ２    給排水管ＩＩの給水口の位置
ｄ２  給排水管ＩＩの排水口の位置または容器Ｃの水位
ａ３    従来給排水管ＩＩＩの最上部の位置
ｂ３    従来給排水管ＩＩＩの給水口の位置
上      上ノズル
左      左ノズル
【図１】
2006233731.tif 000003
【図２】
2006233731.tif 000004
【図３】
2006233731.tif 000005
【図４】
2006233731.tif 000006
(57)【要約】【課題】  泥土圧オーガ工法小口径管布設機において、切羽上部の土砂の崩壊による上部方向への掘進方向の外れが生じる。従来ピンチ弁及び掘削添加剤を使用することとなっているが、薬注等の補助工法を必要とする事例が多く、本来の目的が果たされていない。地下水及び粒径の小さい細砂やシルト分の一部だけを取り込み、土砂の崩壊を防ぎ、方向修正反力を作り易くすることを図る。【解決手段】  回転駆動されるカッターヘッド２の後部にフィルター３を巻き付け、番線等で固定し、スクリューコンベア４の取込口５を閉塞する。この装置により、透水係数が高くＮ値の低い土砂の崩壊を防ぎ、方向修正反力と成り得るＮ値の高い地層を容易に作成できる。【選択図】  図３
2006233726.tif 000002
【特許請求の範囲】
【請求項１】
排土手段としてスクリューコンベアを備えて成る小口径管推進装置の先導体及び推進管内のスクリューコンベアに、フィルターを装置すると共に、地下水及びシルト又は細砂等の極小粒子を排出し、方向修正反力に必要な土砂を閉塞することを特徴とした泥土圧工法。
【請求項２】
オーガ工法小口径管推進機のスクリューコンベアに、フィルターを装着し、切羽圧をバランスさせることを特徴とした泥土圧制御装置。
【発明の詳細な説明】
【技術分野】
【０００１】  本発明は、小口径管推進機の泥土圧工法及び泥土圧制御装置に関する。
【背景技術】
【０００２】  図２に示す様に、従来の泥土圧工法は、ピンチ弁１３及び掘削添加剤を用いて、先導管１に内臓されたカッターヘッド２前面の切羽圧をバランスさせることにより、排土量や湧水の制御を行い、流砂現象による切羽部での崩壊を防止することで切羽１８の安定を図ることとしている。（例えば、「ＴＰ９０Ｓアイアンモール工法設計技術資料」、アイアンモール協会、１９９３年、Ｐ．１０。）。
【発明が解決しようとする課題】
【０００３】  泥土圧オーガ工法小口径管推進機において、切羽１８上部の土砂の崩壊による上部方向への掘進方向の外れが生じる。方向修正ジャッキ１９を作動して先端揺動部２０を曲げ、方向修正を試みる。現状、もっぱらピンチ弁１３及び掘削添加剤を使用することが、各市町村下水道課に承認されているが、この工法では地下水まで閉塞してしまうため、地山が硬く成り難く方向修正反力は作成困難で、推進加圧力を増大させ、薬注等の補助工法を必要とする事例が多く、本来の目的を満たさない。フィルターを装着することによって、地下水及び粒径の小さい細砂やシルト分の一部だけを取り込み土砂の崩壊を防ぎ、地山を硬くして、方向修正反力を作り易くすることを図る。
【課題を解決するための手段】
【０００４】  本発明は、このような従来の構成が有していた問題を解決しようとするものであり、図３により説明する。図１は簡略図であるが、先導管１の構成は図２の先導管１と同様である。回転駆動されるカッターヘッド２の後部にフィルター３を巻き付け、番線等で固定し、スクリューコンベア４の取込口５を閉塞する。この装置により、透水係数大きくＮ値低い土砂Ｓの崩壊を防ぎ、方向修正反力と成り得るＮ値の高い地層Ｓ′を容易に作成できる。なぜなら、水分・シルト分・細砂等の細粒分Ｓ″だけを取り込むからである。掘削添加剤は不必要で、清水Ｗで充分である。
【発明の効果】
【０００５】  部品調達及び取付が簡単・安価・迅速で、スピーディかつ経済的。
【０００６】  土砂のみを止め、水を止めないので、無理がなく、方向修正反力を作りやすい。
【０００７】  土砂閉塞の原因を解除できる（番線等で固定するので、スクリュー回転により、外部排出可能。）。
【０００８】  エアーホース１５不要の為、エアーホース配管が不要。
【０００９】  礫等、固形物混入時、ピンチ弁１３では、ゴム風船１４にかむとピンチ弁の機能を満たさないが、フィルターの場合はこの問題点が解消される。
【００１０】  随時に追加取付可能。
【００１１】  掘削添加剤及び管路薬注等の補助工法が不要（大きい互層の場合は除く）のため、環境汚染を回避し、工期を短縮し、コスト減に繋がる。
【００１２】  作業者に安全・衛生的。
【発明を実施するための最良の形態】
【００１３】  以下、本発明の実施の形態を図１〜図３に基づいて説明する。【００１４】  オーガ方式小口径管推進装置の先導管１（以下先導管）は、先端揺動部２０内部にカッターヘッド２を備え、カッターヘッド２とスクリューコンベア４とが連結されている。【００１５】  このスクリューコンベア４を回転駆動することによって、カッターヘッド２が回転し、土砂の掘削及び後部への排出を同時に行う。【００１６】  流動性の高い滞水砂層等の掘削・排出時に、過多な排出にならないように、メッシュ状のフィルター３をスクリューに巻いて取込口５を閉塞する。【００１７】  フィルター３は、水分及び細粒分だけを通し、地山の崩壊を防止し、方向修正反力を作成して、泥土圧工法の目的を果たす。【００１８】  また、フィルター３は、番線等で固定し、スクリュー回転により外れ易くしておくと、閉塞過多を防止できる。
【図面の簡単な説明】
【図１】本発明の実施形態を示す泥土圧装置（フィルター）を構成する先導管の断面図である。
【図２】従来の泥土圧装置（ピンチ弁）を構成する先導管の断面図である。
【図３】図１のＡ部拡大図である。
【符号の説明】
【００１９】  １  オーガ方式小口径管推進装置の先導管  ２  カッターヘッド２ａ  注入液吐出口  ３  フィルター  ４  スクリューコンベア  ５  取込口１３  ピンチ弁１４  ゴム風船１５  エアーホース１８  切羽１９  方向修正ジャッキ２０  先端揺動部  Ｓ  掘削土  Ｓ′フィルターを通過できずに残される土砂  Ｓ″フィルターを通過する水および細粒分  Ｗ  注入水
【図１】
2006233726.tif 000003
【図２】
2006233726.tif 000004
【図３】
2006233726.tif 000005
(57)【要約】【課題】  鉄筋コンクリート造の建物の建築に際して該鉄筋に接して取り付けようとするプレート状の部材やプレート部を有する部材を効率良く且つ的確に鉄筋に固定し、コストダウンと同時に躯体コンクリートに悪影響を与えない金物が必要である。【解決手段】  鉄筋とプレート状の被設置材を堅固且つ簡単に固定できる形状にばね鋼線を加工する。【選択図】  図１
2006233722.tif 000002
【特許請求の範囲】
【請求項１】
鉄筋コンクリート造の建築物の工事に際してコンクリートの打設前に予め鉄筋に接して据え付けておくもの例えば誘発目地材などを堅固且つ効率良く所定の箇所に設置することのできる特徴的形状を有するバネ鋼線から成るクリップ。
【発明の詳細な説明】
【技術分野】
【０００１】  本発明は、鉄筋コンクリート造の建築物に関する。かかる建築物においては、コンクリートを打設する前に予め鉄筋に接して取り付けておかなければならないものが少なからずある。
なかでも誘発目地材はよく知られているもののひとつで、この材質にはブチルゴム製のものや薄い鋼板製のものなどがある。また形状的には、いづれの場合も鉄筋に接して取り付けたとき安定させるためにその底部（鉄筋に接する部分）はプレート状になっている。
【背景技術】
【０００２】  例えば誘発目地の場合は、上述の如くその底部のプレート部に孔を開けてこの孔にナマシ鉄線を通して背後の鉄筋と結束したり、場合によってはプレート部に孔を開けることなく誘発目地材と鉄筋をやはりナマシ鉄線で大巻きにして結束し、これを固定している。
前者の場合は、孔を開けた上で結束するという煩雑な作業を伴う。また後者の場合は、誘発目地材の使用目的である躯体コンクリートの所定箇所に断面欠損を設け、この部分に故意にクラックを生じせしめるべくその断面形状は概ねＴ形を呈しているため、これをナマシ鉄線で大巻きするとこの部分における生コンクリートの充填が妨げられる。その結果、所定外の箇所にまでクラックが及ぶ危険性がある。
【発明の開示】
【発明が解決しようとする課題】
【０００３】  前述の如くその取り付けが煩雑で時間がかかるということは、作業効率が悪いということであり例えば誘発目地設置のための総合コストを押し上げている。したがってできるだけ迅速に取り付け、設置できる方法によりコストを下げなければならない。
また、コンクリートの充填性に問題を生じせしめ本来の使用目的から逸脱する危険性のある前述の如きの取り付け方を止め、常に使用目的に沿った結果を得られる商品を提供しなければならない。
【課題を解決するための手段】
【０００４】  本発明者は鋭意研究した結果、鉄筋に接してプレートの類を設置する際、これを極めて簡単に取り付けられ且つ打設されるコンクリートの充填性に何らの悪影響も与えない形状を有する金物を発明することに成功した。【０００５】  以下、本発明を図に従い、詳しく説明する。
図１は本発明による金物のイメージ図である。この金物の素材は１〜３ｍｍの径を有し、材質はばね鋼の線材である。ここで符号１は鉄筋に引っ掛ける部分、符号２は鉄筋に引っ掛ける際に自由度を持たせる必要から比較的長めにして最終的には該鉄筋に接して納まる直線部、符号３は該鉄筋に接して取り付けようとする例えば誘発目地の如きのプレート部分を該鉄筋側に押さえ込み結果として該鉄筋と該プレート部を固定する部分である。
図２は本発明品の上面図であり、上述の符号１を鉄筋に引っ掛ける際は符号４の矢印方向に引っ張り且つ該鉄筋の下を交わす必要から上述の如く符号２の部分に相当の自由度を持たせなければならないのである。
図３は例えば誘発目地を鉄筋に固定すべく本発明による金物を使用したイメージ図でありここで符号５はブチルゴム製の誘発目地材であり、符号６はそのプレート部分である。また符号７は該誘発目地材を設置しようとする鉄筋である。
【発明の効果】
【０００６】  上述の如く本発明品は、鉄筋に接して固定しようとするプレートやプレート部を有するものを極めて簡単且つ効率良く該鉄筋に設置できるので大幅に作業性が向上し、結果として相当のコストダウンを成し得る。また形状的にも該鉄筋や例えば誘発目地材のごときの被設置材からほとんど突出することなく使用されるので躯体コンクリートの構造に何らの悪影響も与えない。
【実施例】
【０００７】  壁厚４５０ｍｍ、鉄筋のかぶり４０ｍｍでダブル配筋の鉄筋コンクリートの壁を想定して高さ２ｍ幅１．５ｍの型枠を製作した。この際、使用した鉄筋径は規格品Ｄ１３、縦筋横筋とも配筋のピッチは１５０ｍｍ、被設置材として長さ２ｍのブチルゴム製の誘発目地材１本を型枠の縦方向中央の片面に配し、これを本発明による金物でほぼ均等に横筋の５箇所に固定した。
したがって、この際使用した本発明による金物の個数は誘発目地材のプレート部の右側を固定するために５個、同じく左側を固定するために５個の計１０個を使用した。
以上の如きの状態において型枠上部の開口面より生コンクリートを打設し、誘発目地材の固定状況即ち打設時の生コンクリートの流動圧による誘発目地材の所定の位置からのズレを調べた。その結果、型枠解体後の測定において両面の誘発目地材とも２ｍの高さの中で左右のズレは±３ｍｍ以内であった。通常このズレの許容範囲は１ｍ当り±５ｍｍとされているので本発明による金物は、充分に実用に供し得ることが確認された。
【図面の簡単な説明】
【０００８】
【図１】本発明による金物のイメージ図
【図２】本発明による金物の上面図
【図３】本発明による金物の使用状態のイメージ図
【符号の説明】
【０００９】      １，鉄筋に引っ掛ける部分
２，鉄筋に接して納まる直線部
３，被設置材を鉄筋側に押さえる部分
４，取り付けの際に引っ張る方向
５，誘発目地材
６，誘発目地材のプレート部
７，鉄筋
【図１】
2006233722.tif 000003
【図２】
2006233722.tif 000004
【図３】
2006233722.tif 000005
(57)【要約】      （修正有）【課題】用意に排便の健康チェックが可能となカラー便器を提供する。【解決手段】カラー便器の外部と内部の色分けをし、内部をホワイト色とする。【選択図】なし【特許請求の範囲】
【発明の詳細な説明】
【発明の詳細な説明】
【技術分野】
【０００１】この発明はカラー便器でも、色に惑わされず容易に自身の排便をチェックできるものである。
【背景技術】
【０００２】便器のカラーは何故か全て単色である。
【発明が解決しようとする課題】
【０００３】従来品の欠点。
イ  検便者（自主健康管理者）は、ホワイト色に近いものしか選べず、新築住宅等においてもトイレ内のコーディネートは単調なものになっている。
ロ  ホテル等ではホワイト色は皆無で、微妙な自身の排便のチェックは不可能である。
ハ  いつ何時体調を崩しかねない現代において、朝夕、外部に置ける検便のチェックは早期病状発見に不可避で、現在のカラー便器はその応対に背を向けている。
本発明は以上の欠点を解決しうるものである。
【課題を解決する為の手段】
【０００４】便器の外部と内部の色を分けることで、容易に問題は解決する。
カラー便器の内部をホワイト色とし、排便のチェック機能を高める。
【発明の効果】
これにより、カジュアルな便器が自由に選択でき、検便者でも自身の好みのカラー便器が使用できる。
旅先でもカラー便器を使用のホテル、旅館等では微細な排便のチェックが可能になる。コストに影響することはない。
【手続補正書】
【提出日】平成17年6月18日(2005.6.18)
【手続補正１】
【補正対象書類名】特許請求の範囲
【補正対象項目名】全文
【補正方法】変更
【補正の内容】
【特許請求の範囲】
【請求項１】
カラー洋風便器全般の内部（底部）をホワイト色とする事により、微細な色の影響を受けず自身の排便の仔細なチェックを可能とする便器。
(57)【要約】【課題】  鉄筋コンクリート造の建造物の構築に際して該鉄筋に接して取り付けようとする誘発目地材を効率良く該鉄筋に固定し、且つ躯体コンクリートの強度を低下せしめることのない形状を有する金物をより安価で提供する。【解決手段】  該鉄筋に誘発目地材を堅固且つ簡単に固定することのできる形状及びばね効果を有する様加工された硬鋼線を提供する。【選択図】  図１
2006233724.tif 000002
【特許請求の範囲】
【請求項１】
鉄筋コンクリート造の建造物の構築に際してコンクリートの打設前に予め鉄筋に接して据え付けておくもの例えば誘発目地材などを堅固且つ効率良く所定の箇所に設置することのできる特徴的形状を有する硬鋼線から成る金物。
【発明の詳細な説明】
【技術分野】
【０００１】  本発明は、鉄筋コンクリート造の建築物に関する。かかる建築物においては、躯体コンクリートの所定の箇所に敢えて断面欠損を設ける工法がある。特に土木関係の鉄筋コンクリート建造物においては頻繁に用いられる工法である。この目的は、例えば土留めの擁壁が地震等による異常な外力を受けたとき擁壁の所定の位置の強度を低下せしめることでこの位置に割れを誘発させて外力を吸収し、擁壁全体の崩壊を防ぐことにある。この躯体コンクリート内に断面欠損を設ける材料を誘発目地と称し、これには該鉄筋に対して型枠側に向かって立ち上がるものと該鉄筋に対して躯体内部に向かって立ち上がるものの２種類があり、一般的にはこれらを併用して使用する場合が殆どであるが、本発明品はこのうちの後者の謂わば内向性の誘発目地を固定する金物に関する。
【背景技術】
【０００２】  上述の内向性の誘発目地の立上り高さは、躯体の厚さにもよるが一般に型枠側に立ち上がる謂わば外向性の誘発目地のそれに比してかなり高い。それ故、そもそも平板状の誘発目地は生コンクリート打設時の強い流動圧を受けるが、これに対抗して固定する必要から現状の誘発目地の該鉄筋への固定方法は、いづれの場合もその取付け手間及び固定金具本体においてそれぞれ煩雑且つ複雑形状なものとなっている。特に形状が複雑であることにより躯体コンクリートの充填性即ち強度に悪影響を及ぼす恐れも否定できない。
【発明の開示】
【発明が解決しようとする課題】
【０００３】  前述の如くその取り付けが煩雑で時間がかかるということは、作業効率が悪いということであり例えば誘発目地設置のための総合コストを押し上げている。したがってできるだけ迅速に取り付け、設置できる方法によりコストを下げなければならない。
また、鉄筋に固定する部分の構造を簡素化して安価且つコンクリートの充填性を妨げない誘目地固定金物を提供しなければならない。
【課題を解決するための手段】
【０００４】  本発明者は鋭意研究した結果、鉄筋に接して垂直にプレートの類を設置する際、これを極めて簡単に取り付けられ且つ打設されるコンクリートの充填性に何らの悪影響も与えない形状を有する金物を発明することに成功した。【０００５】  以下、本発明を図に従い、詳しく説明する。
図１は本発明による金物のイメージ図である。この金物の素材は２〜６ｍｍの径を有し、材質は硬鋼線である。この硬鋼線は、その材質的な特徴としてばね鋼線には及ばないが極めて高い弾力性を有しており、熱処理なしでも相当のばね効果を発揮する。ここで符号１は、プレート状の誘発目地材を挟み込んで固定する部分、符号２はばね効果及び誘発目地材を鉄筋に設置したときの安定のため若干長めにしてある部分、また符号３は該鉄筋に引っ掛けて最終的に誘発目地材を所定の位置に固定する効果を発揮する部分である。
図２は本発明による金物を用いてアクリル板からなる内向性誘発目地材を固定したときのイメージ図である。この目地材としては他にも薄い亜鉛メッキ鋼板を芯材としてその周囲をブチルゴムで被ったものなどもあるが、これも本発明品により同様に固定できる。この図で符号４はアクリル板の誘発目地材、符号５はこの誘発目地材と接して本発明品の金物の符号３の部分を引っ掛ける該鉄筋である。
【発明の効果】
【０００６】  本発明品を用いて誘発目地材を鉄筋に対して垂直に固定する場合、まず上述符号１の部分をやや開き気味の状態で、固定しようとする該鉄筋の位置にあたる誘発目地材の部分に挟み込み、続いて所定の位置に誘発目地材を立掛け上述符号３の部分を該鉄筋の誘発目地材を取り付ける反対側に押し込んで該鉄筋に引っ掛けるだけの簡単な手順で誘発目地材の固定作業が完了する。またこの金物を製造原価上の観点から判断するに、市販の硬鋼線を僅か２工程のプレスで製造するだけなので原材料費及び生産性の両面から大幅なコストダウンを成し得る。
【実施例】
【０００７】  壁厚４５０ｍｍ、鉄筋のかぶり４０ｍｍでダブル配筋の鉄筋コンクリートの壁を想定して高さ２ｍ幅１．５ｍの型枠を製作した。この際、使用した鉄筋径は規格品Ｄ１３、縦筋横筋とも配筋のピッチは１５０ｍｍ、内向性誘発目地材材として長さ２ｍ、幅１００ｍｍ、厚さ６ｍｍのアクリル板１枚を型枠の縦方向中央の片側に配し、これを本発明による金物でほぼ均等に横筋の５箇所に固定した。
上述の如くの状態で生コンクリートを打設し、生コンクリートの流動圧によるアクリル板の所定の位置からの変位量を測定した。その結果該鉄筋に接する側では最大３ｍｍ、また反対側即ちアクリル板の先端部においては最大５ｍｍであった。通常この変位量の許容範囲は最大１０ｍｍとされているので本発明による誘発目地固定金物は、取付けの作業性に起因するコストと製造コストの両面において実用上極めて有益であることが確認できた。
【図面の簡単な説明】
【０００８】
【図１】本発明による金物のイメージ図
【図２】本発明による金物を使用してアクリル板を固定したときのイメージ図
【符号の説明】
【０００９】１，誘発目地材を挟み込む部分
２，ばね効果を発揮して誘発目地材を鉄筋側に寄せる部分
３，鉄筋に引っ掛ける部分
４，アクリル板
５，鉄筋
【図１】
2006233724.tif 000003
【図２】
2006233724.tif 000004
(57)【要約】【課題】エアコン室外機の軽量化に寄与すると共に、リアクタのコスト低減を行う。【解決手段】二つ以上の矩形の積層鉄心と前記矩形積層鉄心間にスペ−サ７を具備して形成された中央磁脚積鉄心構造を持ち、ワニス含浸することにより熱伝導を良くしてコイル４の熱放散性を向上させ、コイル温度上昇限度に対する余裕分をコイル線径の低下を行い、鉄心窓内の巻線断面積低下に伴い、鉄心寸法を小さくでき、コイル重量および鉄心重量を減少させるものである。【選択図】図１
2006294787.tif 000002
【特許請求の範囲】
【請求項１】
一つ以上の積層鉄心を用いて形成されたロの字状の鉄心と、前記ロの字状の鉄心の内側に絶縁手段を介して配された二つ以上の矩形の積層鉄心と前記矩形積層鉄心間にスペ−サを具備して形成された中央磁脚と、前記中央磁脚鉄心の周囲に配されたコイルとを備え、ワニス含浸されたリアクタ。
【発明の詳細な説明】
【技術分野】
【０００１】
本発明は、インバータエアコン等の力率改善に用いられるリアクタに関するものである。
【背景技術】
【０００２】
従来、この種のリアクタとしては、ロの字状の鉄心と、前記ロの字状の鉄心の内側に絶縁手段を介して配された単一の中央磁脚鉄心を有する構造となっていた（特許文献１参照）。図３は前記文献に記載された従来のリアクタの断面図を示すものである。図３において、単一の矩形鉄心３を溶接等の手段で積層した中央磁脚鉄心にコイル４を直か巻きした上、絶縁紙５を巻き付けたコイルユニットを、コ型鉄心２を溶接等の手段で積層した鉄心の内に納めた後、上からＩ型鉄心１を積層した鉄心にて抑えて鉄心突合せ部６にて溶接固定し、ワニス含浸されていた。
【特許文献１】特開平９−３５９６５号公報（図１）
【発明の開示】
【発明が解決しようとする課題】
【０００３】
しかしながら、前記従来の構成では、ロの字状の鉄心の内側に存する絶縁紙が電流流入時、磁気飽和特性を調整する磁路中の空隙を確保すると共に空隙部の磁気吸引力による振動、騒音防止スペ−サを兼ねた構造になっているため、電気絶縁に必要な厚さより厚くなり、コイルとコイル放熱板の機能を有するロの字状の鉄心間の熱伝導を阻害し、コイル温度を法律で規定される温度上昇限度以下に抑制するためにはコイル４の銅損を小さくするコイル線径の太い設計が必要となり、コイル重量を増大させ、エアコン室外機の軽量化に寄与できない上、大きなコストアップを招くと言う課題を有していた。
【０００４】
本発明は、従来の課題を解決するために、コイルとコイル放熱板の機能を有する鉄心間の熱伝導を向上させ、エアコン室外機の軽量化に寄与する軽量で安価なリアクタを提供することを目的とする。
【課題を解決するための手段】
【０００５】
前記課題を解決するために本発明のリアクタは、二つ以上の矩形の積層鉄心と前記矩形積層鉄心間にスペ−サを具備して形成された中央磁脚鉄心構造とし、ワニス含浸するものである。
【発明の効果】
【０００６】
本発明のリアクタは、コイルとコイル放熱板の機能を有するロの字状鉄心間の熱伝導を向上させ、軽量で安価にすることができる。
【発明を実施するための最良の形態】
【０００７】
本発明は、二つ以上の矩形の積層鉄心と前記矩形積層鉄心間に磁路中の空隙の一部を確保するスペ−サを具備して形成された中央磁脚鉄心構造とすることにより、ロの字状鉄心の内側の絶縁手段を電気絶縁に必要な最小厚みにすることが可能となり、コイルとコイル放熱板の機能を有するロの字状鉄心の熱伝導を良好にし、コイルの熱放散性を向上させ、エアコンの軽量化、コストダウンに寄与できる。
【０００８】
以下、本発明の実施の形態について図面を参照して説明する。なお、この実施の形態によって本発明が限定されるものではない。
【０００９】
（実施の形態１）
図１は本発明の実施の形態におけるリアクタの断面図を示すものであり、図２は本発明の実施の形態における中央磁脚鉄心の斜視図を示すものである。図１、図２において、図３と同じ構成については同じ符号を用い、説明は省略する。
【００１０】
図１、図２において、珪素鋼板からなる矩形鉄心３を積層し、溶接で固定された二つの鉄心間にワニス含浸工程中の高温により加熱減量のほとんどない温度定格の高い芳香族ポリアミド・ＰＰＳ等の樹脂成形品・シ-トからなる厚さ１〜２.５ｍｍのスペ−サ７を具備して形成された中央磁脚鉄心を形成する。尚、中央磁脚鉄心を形成する積層された矩形鉄心３は両者が別個の寸法であっても、積層方向が90°異なっても性能への影響はない。前記中央磁脚鉄心を巻芯として、アルミ・銅を導体としたエナメル巻線のコイル４を巻き、前記に絶縁手段として芳香族ポリアミド紙等からなる絶縁紙５を巻き付けたコイルユニットを、コ型鉄心２を溶接等の手段で積層した鉄心内に納めた後、上からコ型鉄心２と同方向に積層したＩ型鉄心１にて抑えて鉄心突合せ部６にて溶接固定してロの字状とし、ワ
ニス含浸する。
【００１１】
これにより、一般にインバ-タエアコンの力率改善用に用いられる磁気飽和特性に必要となる空隙寸法１．５〜３ｍｍをトータルで確保するように中央磁脚鉄心部のスペ−サ７の厚みを適切な値に決定すれば、絶縁紙５は空隙部の磁気吸引力による振動、騒音防止スペ−サの機能を有した上、電気絶縁に必要とする最小厚みにでき、コイル４とコイル４の放熱板の機能を有するロの字状の鉄心形成するコ型鉄心２とＩ型鉄心１との熱伝導性が向上し、コイル４の熱放散性が上がり、コイル４の温度上昇が低下する。
【００１２】
そして、コイル４の温度は法律で規定される温度限度に対し、余裕ができることになり、コイル線径を低下させ銅損が増加しても法律で規定される温度限度をクリアすることができ、コイル重量は減少する。さらに鉄心窓内に寸法余裕ができ、小型の鉄心サイズが使用可能となり、鉄心重量も減少する。また、空隙分割数が増加することから、磁路中の漏れ磁束は低下し、コイル中のうず電流損が低下するとともに、前記要因による振動・騒音も低下する効果もある。この結果、軽量で安価なリアクタとすることができる。
【産業上の利用可能性】
【００１３】
本発明のリアクタは、コイル放熱性の向上が可能となるため、積層鉄心を使用したインダクタの用途にも適用できる。
【図面の簡単な説明】
【００１４】
【図１】本発明の実施の形態におけるリアクタの断面図
【図２】本発明の実施の形態における中央磁脚鉄心の斜視図
【図３】従来のリアクタの断面図
【符号の説明】
【００１５】
１  Ｉ型鉄心
２  コ型鉄心
３  矩形鉄心
４  コイル
５  絶縁紙
６  鉄心突合せ部
７  スペ-サ
【図１】
2006294787.tif 000003
【図２】
2006294787.tif 000004
【図３】
2006294787.tif 000005